(57)【要約】      （修正有）【課題】カーテン本体が非布製の紙や不織布で且つ容易な構造でありながら折り返し部の強度が保たれ、破損しにくい非布製カーテンを提供する。【解決手段】カーテンのシート状のカーテン本体１０が紙又は不織布で作られた非布製カーテン１において、カーテン本体の上辺が所定の幅で下方向に折り返された折り返し部１２を有し、該折り返し部が、折り戻らないように固定する折り戻り防止手段としての綴じ針１６を備え、折り返し部に、カーテンレールにカーテン本体の上部を保持させる連結部材を固定することを特徴とする。【選択図】図１
0003168112.tif 000002
【実用新案登録請求の範囲】
【請求項１】
カーテンのシート状のカーテン本体が紙又は不織布で作られた非布製カーテンにおいて、
該カーテン本体の上辺が所定の幅で下方向に折り返された折り返し部を有し、
該折り返し部が、折り戻らないように固定する折り戻り防止手段を備え、
該折り返し部に、カーテンレールに該カーテン本体の上部を保持させる連結部材を固定することを特徴とする非布製カーテン。
【請求項２】
前記カーテン本体の折り返し部を、さらに下方向に折り返して再折り返し部を形成し、
該再折り返し部を前記折り戻り防止手段で固定し、
該再折り返し部に前記連結部材を固定することを特徴とする請求項１記載の非布製カーテン。
【請求項３】
前記折り戻り防止手段が、ステープラの綴じ針、紐、糸、糊又は圧着であることを特徴とする請求項１又は請求項２記載の非布製カーテン。
【請求項４】
前記カーテン本体の折り返し部又は再折り返し部に、裏面まで貫通する穴が穿設されており、
該穴に前記連結部材を固定することを特徴とする請求項１〜請求項３のいずれかに記載の非布製カーテン。
【請求項５】
前記カーテン本体の一方の面に、前記折り返し部を設けるための折り返し位置を示す折り線である折り返し位置マークを備えることを特徴とする請求項１〜請求項４のいずれかに記載の非布製カーテン。
【請求項６】
前記カーテン本体の他方の面に、前記再折り返し部を設けるための折り返し位置を示す折り線である再折り返し位置マークを備えることを特徴とする請求項２〜請求項５のいずれかに記載の非布製カーテン。
【請求項７】
前記カーテン本体の面が、広告を印刷する広告面となっていることを特徴とする請求項１〜請求項６のいずれかに記載の非布製カーテン。
【考案の詳細な説明】
【技術分野】
【０００１】
本考案は、カーテンのシート状のカーテン本体が紙や不織布で作られた非布製カーテンに関する。
【背景技術】
【０００２】
従来より、カーテン本体が布ではなく紙や不織布で作られた非布製カーテンが提案されている。例えば、特許文献１に示されるものがある。特許文献１の窓掛けは、窓掛け本体であるカーテン状で紙製のシートの上辺に複数のフックを設けている。そして、そのフックをカーテンレールに取り付けることにより、カーテン状の窓掛けとしている。
【先行技術文献】
【特許文献】
【０００３】
【特許文献１】実用新案登録第３１２３３６９号公報
【考案の概要】
【考案が解決しようとする課題】
【０００４】
しかしながら、従来の非布製カーテンでは、紙製でシート状のカーテン本体に、カーテンレールとを連結する連結部材を固定させた場合、カーテン本体の強度が弱いことから、カーテン本体をカーテンレール上で摺動させたときに、カーテン本体が破れやすいという問題がある。一方、カーテン本体の連結部材を固定する位置を強固にすると、カーテンのコストが上昇してしまい、布製カーテンに比べて安価だというメリットを活かすことができなくなってしまう。
【０００５】
本考案は、このような事情に鑑みてなされたもので、カーテン本体が非布製の紙や不織布で且つ容易な構造でありながら折り返し部の強度が保たれ、破損しにくい非布製カーテンを提供することにある。
【課題を解決するための手段】
【０００６】
請求項１記載の非布製カーテンは、カーテン本体の上辺が所定の幅で下方向に折り返された折り返し部を有し、折り返し部が、折り戻らないように固定する折り戻り防止手段を備え、折り返し部に、カーテンレールにカーテン本体の上部を保持させる連結部材を固定することを特徴とする。
【０００７】
請求項２記載の非布製カーテンは、カーテン本体の折り返し部を、さらに下方向に折り返して再折り返し部を形成し、再折り返し部を折り戻り防止手段で固定し、再折り返し部に連結部材を固定することを特徴とする。
【０００８】
請求項３記載の非布製カーテンは、折り戻り防止手段が、ステープラの綴じ針、紐、糸、糊又は圧着であることを特徴とする。
【０００９】
請求項４記載の非布製カーテンは、カーテン本体の折り返し部又は再折り返し部に、裏面まで貫通する穴が穿設されており、穴に連結部材を固定することを特徴とする。
【００１０】
請求項５記載の非布製カーテンは、カーテン本体の一方の面に、折り返し部を設けるための折り返し位置を示す折り線である折り返し位置マークを備えることを特徴とする。
【００１１】
請求項６記載の非布製カーテンは、カーテン本体の他方の面に、再折り返し部を設けるための折り返し位置を示す折り線である再折り返し位置マークを備えることを特徴とする。
【００１２】
請求項７記載の非布製カーテンは、カーテン本体の面が、広告を印刷する広告面となっていることを特徴とする。
【考案の効果】
【００１３】
請求項１の考案によれば、カーテン本体の上辺が所定の幅で下方向に折り返された折り返し部を有し、折り返し部が、折り戻らないように固定する折り戻り防止手段を備え、折り返し部に、カーテンレールにカーテン本体の上部を保持させる連結部材を固定することから、カーテン本体が非布製の紙や不織布で且つ容易な構造でありながら折り返し部の強度が保たれ、破損しにくい非布製カーテンを提供できる。また、折り返し部に折り戻り防止手段を設けることで、折り返し部の強度がより保たれることになる。
【００１４】
請求項２の考案によれば、カーテン本体の折り返し部を、さらに下方向に折り返して再折り返し部を形成し、再折り返し部を折り戻り防止手段で固定し、再折り返し部に連結部材を固定することから、カーテン本体がより破損しにくくなる。
【００１５】
請求項３の考案によれば、折り戻り防止手段が、ステープラの綴じ針、紐、糸又は糊にすることで、折り返し部や再折り返し部の強度がより保たれることになる。
【００１６】
請求項４の考案によれば、カーテン本体の折り返し部又は再折り返し部に、裏面まで貫通する穴が穿設されており、穴に連結部材を固定することで、穴と連結部材とで折り返し部や再折り返し部の強度がより保たれることになる。
【００１７】
請求項５及び請求項６の考案によれば、カーテン本体の面に、折り返し部又は再折り返し部を設けるための折り返し位置を示す折り線である折り返し位置マーク又は再折り返し位置マークを備えることから、カーテン本体を折り返す場合に目安ができ、折り返しやすくなると共に、折り返し量が一定となり折り返し部及び再折り返し部の強度が一定となる。
【００１８】
請求項７の考案によれば、カーテン本体の面が、広告を印刷する広告面となっていることから、非布製カーテン自体が例えば、アパートやマンションで空室になっている部屋の安価な日焼け防止の日除けになると共に、窓の外に対しては、安価な広告手段になる。
【図面の簡単な説明】
【００１９】
【図１】本考案に係る非布製カーテンの一例を示す説明図である。
【図２】同非布製カーテンの使用方法を説明する説明図である。
【図３】同非布製カーテンの他の例を示す説明図である。
【図４】同非布製カーテンの他の例の使用方法を説明する説明図である。
【図５】同非布製カーテンのさらに他の例を示す説明図である。
【図６】同非布製カーテンの図５の例をさらに説明する説明図である。
【考案を実施するための形態】
【００２０】
以下、本考案の形態について図面を参照しながら具体的に説明する。図１は、本考案に係る非布製カーテンの一例を示す説明図である。図２は、同非布製カーテンの使用方法を説明する説明図である。図３は、同非布製カーテンの他の例を示す説明図である。図４は、同非布製カーテンの他の例の使用方法を説明する説明図である。図５は、同非布製カーテンのさらに他の例を示す説明図である。図６は、同非布製カーテンの図５の例をさらに説明する説明図である。
【００２１】
図１及び図２において、非布製カーテン１は、カーテンのシート状のカーテン本体１０が紙や不織布で作られたものである。非布製カーテン１は、カーテン本体１０の上辺が所定の幅で下方向に折り返された折り返し部１２を有している。そして、折り返し部１２を、さらに下方向に折り返して再折り返し部１４を形成している。再折り返し部１４には、図１に示すように所定間隔で、ステープラの綴じ針１６が止められ、折り返し部１２及び再折り返し部１４が、折り戻らないように固定する折り戻り防止手段になっている。尚、綴じ針１６を止める間隔は、カーテン本体１０に後述する連結部材を固定した場合に、折り返し部１２及び再折り返し部１４が、折り戻らない間隔であればよい。
【００２２】
そして、カーテン本体１０の再折り返し部１４には、図１及び図２（ｂ）に示すように、カーテンレールにカーテン本体１０の上部を保持させる連結部材である係止部材２０が挿嵌されている。この係止部材２０は、略逆Ｕ字状のレール係止部２０ａと密着して閉じた略Ｕ字状のカーテン挟持部２０ｂとから構成されている。そして、図２（ｂ）に示すように、カーテン挟持部２０ｂをカーテン本体１０の再折り返し部１４に下から挟み込むことで、係止部材２０はカーテン本体１０に固定される。この状態で、係止部材２０のレール係止部２０ａを、図示しないカーテンレールに係止することで、非布製カーテン１が、カーテンレールに保持されることになる。
【００２３】
尚、連結部材は、係止部材２０に限られるものではなく、例えば、図２（ｃ）に示すようなカーテン本体１０と再折り返し部１４との間を、挟む方向にスプリング状の弾性部２２ｂに付勢された挟持部２２ａで両側から挟むような構造の挟持部材２２であってもよい。また、後述する図４に示すものであってもよく、その構造により制限されるものではない。
【００２４】
本実施の形態の非布製カーテン１によれば、カーテン本体１０の上辺が所定の幅で下方向に折り返された折り返し部１２を有し、折り返し部１２が、折り戻らないように固定する折り戻り防止手段である綴じ針１６を備え、折り返し部１２に、カーテンレールにカーテン本体１０の上部を保持させる連結部材である係止部材２０を固定することから、カーテン本体１０が非布製の紙や不織布で且つ容易な構造でありながら折り返し部１２の強度が保たれ、破損しにくい非布製カーテン１を提供できる。
【００２５】
上述の実施例では、折り返し部１２を、さらに下方向に折り返して再折り返し部１４を形成し、再折り返し部１４を折り戻り防止手段である綴じ針１６で固定し、再折り返し部１４に連結部材である係止部材２０を固定することから、カーテン本体１０がより破損しにくくなっている。尚、本実施例では、再折り返し部１４を設けているが、強度が保たれれば、折り返し部１２のみであってもよい。
【００２６】
尚、上述の実施例では、折り戻り防止手段として、ステープラの綴じ針１６を用いているが、綴じ針１６の他に、紐や糸であってもよく、また、糊で折り返し部１２及び再折り返し部１４を接着して折り戻りを防止するようにしてもよい。さらに、糸や紐で折り返し部１２や再折り返し部１４を縦や横方向に縫い合わせるようにしてもよい。さらに、カーテン本体１０が不織布の場合、折り戻り防止手段として、折り返し部１２及び再折り返し部１４を縦や横方向に圧着するようにしてもよい。このように、折り返し部１２や再折り返し部１４に折り戻り防止手段を設けることで、折り返し部１２や再折り返し部１４の強度がより保たれることになる。
【００２７】
また、折り戻り防止手段として、図３及び図４に示す非布製カーテン２ように、非布製のカーテン本体３０の折り返し部３２及び再折り返し部３４に、裏面まで貫通する穴である掛止穴３６を穿設するようにしてもよい。そして、図４に示すように、略Ｓ字状の掛止部材２４を連結部材として用いるようにする。具体的には、掛止部材２４の一端である掛止部２４ａをカーテン本体３０の掛止穴３６に下から掛け、他端であるレール掛止部２４ｂをカーテンレールに固定するようにする。カーテン本体３０の折り返し部３２又は再折り返し部３４に、裏面まで貫通する掛止穴３６を穿設し、掛止穴３６に連結部材である掛止部材２４を固定することで、掛止穴３６と掛止部材２４とで折り返し部３２や再折り返し部３４の強度がより保たれることになる。
【００２８】
さらに、図５の非布製カーテン３に示すように、カーテン本体４０の一方の面に、折り返し部４２を設けるための折り返し位置を示す折り線である折り返し位置マーク４２ａを予め印刷等することにより備えることで、カーテン本体４０を折り返す場合に目安ができ、折り返しやすくなると共に、折り返し量が一定となり折り返し部４２の強度が一定となる。
【００２９】
さらに、図６の非布製カーテン３に示すように、カーテン本体４０の他方の面に、再折り返し部４４を設けるための折り返し位置を示す折り線である再折り返し位置マーク４４ａを予め印刷等することにより備えることで、カーテン本体４０を折り返す場合に目安ができ、折り返しやすくなると共に、折り返し量が一定となり再折り返し部４４の強度が一定となる。
【００３０】
尚、カーテン本体１０，３０，４０の面を、広告を印刷する広告面１０ａ，３０ａ，４０ａとして印刷や装飾を施すことで、非布製カーテン１，２，３自体が例えば、アパートやマンションで空室になっている部屋の安価な日焼け防止の日除けになると共に、窓の外に対しては、安価な広告手段になる。
【産業上の利用可能性】
【００３１】
本考案により、カーテン本体が非布製の紙や不織布で且つ容易な構造でありながら折り返し部の強度が保たれ、破損しにくい非布製カーテンを提供することができる。
【符号の説明】
【００３２】
１・・・・・非布製カーテン
２・・・・・非布製カーテン
３・・・・・非布製カーテン
１０・・・・カーテン本体
１０ａ・・・広告面
１２・・・・折り返し部
１４・・・・再折り返し部
１６・・・・綴じ針
２０・・・・係止部材
２０ａ・・・レール係止部
２０ｂ・・・カーテン挟持部
２２・・・・挟持部材
２２ａ・・・挟持部
２２ｂ・・・弾性部
２４・・・・掛止部材
２４ａ・・・掛止部
２４ｂ・・・レール掛止部
３０・・・・カーテン本体
３０ａ・・・広告面
３２・・・・折り返し部
３４・・・・再折り返し部
３６・・・・掛止穴
４０・・・・カーテン本体
４０ａ・・・広告面
４２・・・・折り返し部
４２ａ・・・折り返し位置マーク
４４・・・・再折り返し部
４４ａ・・・再折り返し位置マーク
【図１】
0003168112.tif 000003
【図２】
0003168112.tif 000004
【図３】
0003168112.tif 000005
【図４】
0003168112.tif 000006
【図５】
0003168112.tif 000007
【図６】
0003168112.tif 000008